(57)【特許請求の範囲】
【請求項１】
加圧した洗浄水によって洗浄される水洗大便器であって、
ボウル部と、洗浄水を吐出するリム吐水口及びジェット吐水口と、排水トラップ管路と、を有した便器本体と、
洗浄水を貯水する貯水タンクと、
この貯水タンクに接続される給水路と、前記ジェット吐水口に接続されるジェット吐水路と、を有し、前記貯水タンク内の底面よりも上方に設けられる加圧ポンプと、
この加圧ポンプを制御する制御部と、
前記貯水タンク内から水を排出する水抜手段と、を備え、
さらに、前記加圧ポンプは、前記給水路の位置よりも下方に設けられ前記貯水タンクの下部に接続されるバイパス流路と、前記制御部により回転を制御される羽根車と、を有し、
前記バイパス流路は、前記羽根車の下端よりも下方に接続された水洗大便器。
【請求項２】
前記水抜手段は前記貯水タンクの下部に設けられた水抜栓であり、
前記バイパス流路は、前記貯水タンクの下部の前記水抜栓近傍に接続された請求項１に記載の水洗大便器。
【請求項３】
前記バイパス流路を開閉する弁手段を有した請求項２に記載の水洗大便器。
【請求項４】
前記弁手段は、前記水抜栓である請求項３に記載の水洗大便器。
【発明の詳細な説明】
【技術分野】
【０００１】
本発明は、水洗大便器に係り、特に、加圧した洗浄水によって洗浄される水洗大便器に関する。
【背景技術】
【０００２】
従来、リム吐水口及びジェット吐水口が形成されたボウル部を備え、リム吐水口には洗浄水を水道から直接供給し、ジェット吐水口には貯水タンク内に貯水された洗浄水を加圧ポンプにより加圧して供給するようにした水洗大便器が知られている（例えば、特許文献１参照）。この種の水洗大便器には、メンテナンス時等に貯水タンク内及び加圧ポンプ内の洗浄水を排出することを目的として、貯水タンクと加圧ポンプとを連通する給水路の途中に、水抜栓等の水抜手段が設けられる。
【先行技術文献】
【特許文献】
【０００３】
【特許文献１】特開２０１０−１５６２０１号公報
【発明の概要】
【発明が解決しようとする課題】
【０００４】
上述した水洗大便器においては、寒冷地等で使用される場合、水抜手段によって水を抜くことで貯水タンク内の水が凍結してしまうことを抑制することができる。一方、水抜手段は貯水タンクと加圧ポンプとを連通する給水路の途中に設けられるため、加圧ポンプ内の給水路が接続される位置よりも下方には、水抜手段によって排出されない水が溜まることがあった。そのため、寒冷地等で使用される場合、水抜手段でも排出されない加圧ポンプ内の水の凍結を抑制するため、発熱源、例えばヒータによって温めることが考えられる。ただし、このようにヒータにより凍結を抑制することは、ヒータを稼動する電力を要するだけでなく、電力が切れた場合には凍結を抑制することができず、加圧ポンプの故障を生じてしまうという懸念がある。
【０００５】
本発明は、上述した問題を解決するためになされたものであり、発熱源を用いることなく、加圧ポンプ内の水の凍結に起因する故障を抑制することが可能な水洗大便器を提供することを目的とする。
【課題を解決するための手段】
【０００６】
本発明は、加圧した洗浄水によって洗浄される水洗大便器であって、ボウル部と、洗浄水を吐出するリム吐水口及びジェット吐水口と、排水トラップ管路と、を有した便器本体と、洗浄水を貯水する貯水タンクと、この貯水タンクに接続される給水路と、前記ジェット吐水口に接続されるジェット吐水路と、を有し、前記貯水タンク内の底面よりも上方に設けられる加圧ポンプと、この加圧ポンプを制御する制御部と、前記貯水タンク内から水を排出する水抜手段と、を備え、さらに、前記加圧ポンプは、前記給水路の位置よりも下方に設けられ前記貯水タンクの下部に接続されるバイパス流路と、前記制御部により回転を制御される羽根車と、を有し、前記バイパス流路は、前記羽根車の下端よりも下方に接続された水洗大便器である。
【０００７】
このように構成された本発明においては、加圧ポンプは、給水路が接続される位置よりも下方に設けられ貯水タンクの下部に接続されるバイパス流路を有している。そのため、加圧ポンプ内の給水路よりも下方の位置にて溜まる水はバイパス流路から貯水タンクへと流れ込む。従って、ヒータ等の発熱源を用いることなく、加圧ポンプ内の水の凍結に起因する故障を抑制することができる。
また、バイパス流路は加圧ポンプ内の羽根車の下端よりも下方に接続されるため、より確実に、加圧ポンプ内の給水路よりも下方の位置にて溜まる水をバイパス流路から貯水タンクへと流れ込ませることができる。
【００１０】
本発明は、さらに、前記水抜手段は前記貯水タンクの下部に設けられた水抜栓であり、前記バイパス流路は、前記貯水タンクの下部の前記水抜栓近傍に接続されてもよい。
【００１１】
このように構成された本発明においては、バイパス流路は貯水タンクの水抜栓近傍に接続されるため、水抜栓の誘引作用により、より確実に加圧ポンプ内の水をバイパス流路から貯水タンクへと流れ込ませることができる。
【００１２】
本発明は、さらに、前記バイパス流路を開閉する弁手段を有した構成としてもよい。
【００１３】
このように構成された本発明においては、バイパス流路を開閉する弁手段を有するため、水抜栓により水を抜く際等を除く通常の動作時には、弁手段によりバイパス流路を閉止することができる。そのため、通常の動作時において、バイパス流路により加圧ポンプの動作効率が低下することを抑制することができる。
【００１４】
本発明は、さらに、前記弁手段は、前記水抜栓であってもよい。
【００１５】
このように構成された本発明においては、弁手段は水抜栓であるので、より簡易な構成により、加圧ポンプ内の水をバイパス流路から排出することができるとともに、通常の動作時において、バイパス流路により加圧ポンプの動作効率が低下することを抑制することができる。
【発明の効果】
【００１６】
本発明の水洗大便器によれば、発熱源を用いることなく、加圧ポンプ内の水の凍結に起因する故障を抑制することが可能となる。
【図面の簡単な説明】
【００１７】
【図１】本発明の第１実施形態に係る水洗大便器を示す構成図。
【図２】本発明の第２実施形態に係る水洗大便器を示す構成図。
【発明を実施するための形態】
【００１８】
以下、図面を参照して本発明の一実施形態による水洗大便器について説明する。
まず、図１により本発明の第１実施形態に係る水洗大便器の構成について説明する。図１は本発明の第１実施形態に係る水洗大便器を示す構成図である。
図１に示すように、本発明の第１実施形態に係る水洗大便器１００は、トイレ室の床面に載置される便器本体２００と、この便器本体２００の後方に配置される機能部３００とを備える。
【００１９】
便器本体２００は、汚物を受けるボウル部２１０と、このボウル部２１０の底部から後方へ延びる排水トラップ管路２２０とを有する。ボウル部２１０にはリム吐水を行うリム吐水口２１２及びジェット吐水を行うジェット吐水口２１４が形成されている。リム吐水口２１２は、ボウル部２１０の左側上部後方に形成され、ボウル部２１０の上縁に沿って洗浄水を吐出する。ジェット吐水口２１４は、ボウル部２１０の底部に形成され、排水トラップ管路２２０に向けて洗浄水を吐出する。排水トラップ管路２２０は、封水を形成するとともに、下水配管（図示せず）と連通している。
【００２０】
機能部３００は、リム吐水及びジェット吐水を行うために制御部５００によって制御されるバルブユニット６００と、このバルブユニット６００の下流に設けられ洗浄水が貯水される貯水タンク８００と、この貯水タンク８００内の下流の貯水タンク８００内の底面より上方に設けられ洗浄水を加圧する加圧ポンプ９００が設けられている。
【００２１】
バルブユニット６００の上流側には、給水源（図示せず）からの洗浄水を供給する一次側給水路３２０が接続される。バルブユニット６００の下流側には、リム吐水口２１２に洗浄水を供給するためのリム側給水路３４０、及び、貯水タンク８００に洗浄水を供給するためのタンク側給水路３６０が接続されている。また、バルブユニット６００は、定流量弁６２０と、この定流量弁６２０の下流に設けられる主弁６４０と、この主弁６４０の下流に設けられる給水路切替弁６６０と、この給水路切替弁６６０下流に設けられるバキュームブレーカ６８０とを有する。
【００２２】
定流量弁６２０は、一次側給水路３２０から定流量弁６２０に流れ込んで下流側へ向かう洗浄水の流量を一定にする。主弁６４０は、その開閉により、給水路切替弁６６０への洗浄水の吐水と止水とを切替える。給水路切替弁６６０は、リム側給水路３４０またはタンク側給水路３６０へ向けて洗浄水を供給する。また、給水路切替弁６６０は、リム側給水路３４０及びタンク側給水路３６０にともに同じタイミングにて洗浄水を供給可能であって、リム側給水路３４０及びタンク側給水路３６０へ供給する洗浄水の量の割合を任意に変更できる。バキュームブレーカ６８０は、上流側への洗浄水の逆流を防止する。
【００２３】
貯水タンク８００の下部には、ポンプ側給水路３７０（給水路）が接続されており、このポンプ側給水路３７０の下流端には加圧ポンプ９００が接続されている。さらに、加圧ポンプ９００とジェット吐水口２１４はジェット側給水路３８０により接続されており、加圧ポンプ９００が、貯水タンク８００に貯水された洗浄水を加圧してジェット吐水口２１４まで供給するようになっている。また、貯水タンク８００の上部には、オーバーフロー管路（図示せず）が接続されており、このオーバーフロー管路（図示せず）はジェット側給水路３８０に連通する。さらに、貯水タンク８００内にはフロートスイッチ（図示せず）が設けられ、このフロートスイッチ（図示せず）の検知結果に基づいて、制御部５００は、バルブユニット６６０及び加圧ポンプ９００を制御する。
貯水タンク８００の下部には、水抜手段である水抜栓８２０ａが設けられる。水抜栓８２０ａを開放することで、メンテナンス時や、寒冷地にて貯水タンク８００内の水が凍結するのを抑制する目的での水抜き時等において、貯水タンク８００から水を排出することができる。
【００２４】
加圧ポンプ９００は、ケーシング９１０と、ケーシング９１０内に設けられ制御部５００により回転を制御される羽根車９２０と、ケーシング９１０においてポンプ側給水路３７０の位置よりも下方と貯水タンク８００部とを接続するバイパス流路とを有する。
羽根車９２０は、その回転の中心軸が水平方向となる状態にてケーシング９１０内に設けられる。
【００２５】
バイパス流路９６０は、ケーシング９１０の羽根車９２０の下端位置Ｐよりも下方と、貯水タンク８００下部の中でも水抜栓８２０ａの近傍とを接続する。また、バイパス流路９６０は、その中途に、バイパス流路９６０を開閉する弁手段である電磁弁９６２を有する。電磁弁９６２は、制御部５００により制御される。なお、本実施形態においては、バイパス流路９６０は、制御部５００により制御される電磁弁９６２により開閉されるが、本発明はこのような形態に限られるものではなく、例えば、作業者により手動にて開閉される開閉弁等、他の弁手段によってバイパス流路を開閉してもよく、弁手段を設けなくともよい。
【００２６】
上述した本発明の一実施形態による水洗大便器１００によれば、加圧ポンプ９００は、ポンプ側給水路３７０が接続される位置よりも下方に設けられ貯水タンク８００下部に接続されるバイパス流路９６０を有している。そのため、加圧ポンプ８００のケーシング９１０内の、ポンプ側給水路３７０よりも下方の位置にて溜まる水はバイパス流路９６０から貯水タンク８００へと流れ込む。従って、ヒータ等の発熱源を用いることなく、加圧ポンプ８００内の水の凍結に起因する故障を抑制することができる。
【００２７】
さらに、上述した本発明の一実施形態による水洗大便器１００によれば、バイパス流路９６０は加圧ポンプ９００のケーシング９１０内の羽根車９２０の下端位置Ｐよりも下方に接続されるため、より確実に、加圧ポンプ９００のケーシング９１０内の水をバイパス流路９６０から貯水タンク８００へと流れ込ませることができる。
【００２８】
また、上述した本発明の一実施形態による水洗大便器１００によれば、バイパス流路９６０は貯水タンク８００下部に設けられた水抜栓８２０ａの近傍に接続されるため、水抜栓８２０ａの誘引作用により、より確実に加圧ポンプ９００のケーシング９１０内の水をバイパス流路９６０から貯水タンク８００へと流れ込ませることができる。
なお、ここでいう水抜栓８２０ａ近傍とは、貯水タンク８００下部において水抜栓８２０ａによる誘引作用が働く位置であり、例えば、貯水タンク８００を前後方向あるいは左右方向にて二等分した際に水抜栓８２０ａが位置している側である。
【００２９】
さらに、上述した本発明の一実施形態による水洗大便器１００によれば、バイパス流路９６０を開閉する電磁弁９６２を有するため、メンテナンス時や寒冷地における凍結防止の水抜き時においては、電磁弁９６２を開放することで、水抜栓８２０ａにより貯水タンク８００及びケーシング９１０内から水を抜くことができる。一方、水を抜く必要がない通常の動作時には、電磁弁９６２によりバイパス流路９６０を閉止することで、バイパス流路９６０を水が通過することによる加圧ポンプ９００の動作効率の低下を抑制することができる。
【００３０】
次に、図２により第１実施形態の変形例である第２実施形態について説明する。図２は本発明の第２実施形態に係る水洗大便器を示す構成図である。なお、この第２実施形態において、第１実施形態と同一部分には同一符号を付し、説明を省略するとともに、異なる部分のみ説明する。
【００３１】
図２に示すように、第２実施形態による水洗大便器１２０においては、第１実施形態における電磁弁９６２が存在せず、電磁弁９６２が果たす機能は、水抜栓８２０ｂが果たすものである。つまり、貯水タンク８００の下部には、水抜手段である水抜栓８２０ｂが設けられ、バイパス流路９６０は弁手段である水抜栓８２０ｂにより開閉される。
【００３２】
上述した本発明の一実施形態による水洗大便器１２０によれば、バイパス流路９６０を開閉する弁手段は水抜栓８２０ｂであるので、より簡易な構成により、加圧ポンプ９００のケーシング９１０内の水をバイパス流路９６０から排出することができるとともに、通常の動作時において、バイパス流路９６０により加圧ポンプ９００の動作効率が低下することを抑制することができる。
【符号の説明】
【００３３】
１００…水洗大便器
１２０…水洗大便器
２００…便器本体
２１０…ボウル部
２１２…リム吐水口
２１４…ジェット吐水口
２２０…排水トラップ管路
３００…機能部
３２０…一次側給水路
３４０…リム側給水路
３６０…タンク側給水路
３７０…ポンプ側給水路（給水路）
３８０…ジェット側給水路
３９０…排水路
５００…制御部
６００…バルブユニット
６２０…定流量弁
６４０…主弁
６６０…給水路切替弁
６８０…バキュームブレーカ
８００…貯水タンク
８２０ａ…水抜栓（水抜手段）
８２０ｂ…水抜栓（水抜手段、弁手段）
９００…加圧ポンプ
９１０…ケーシング
９２０…羽根車
９６０…バイパス流路
９６２…電磁弁（弁手段）
【図１】
0006651762.tif 000002
【図２】
0006651762.tif 000003